(57)【要約】【課題】  ベッド周辺に設けられるカーテンレールにおいて、これまでの照明手法と同等以上の視環境を確保しつつ、照明器具の存在を目立たなくする。【解決手段】  カーテンレール本体１にＬＥＤ２を複数設け、少なくとも一部のＬＥＤ２は他のＬＥＤ２とは異なる方向に光を放出する。これにより、患者のプライベートエリア（カーテンレール内側）と共用エリア（カーテンレール外側）の明るさを確保することが可能となる。よって、全般照明として使用する際にはこれまでのようなカーテンにより遮光されて暗くなることを防止することが可能となる。また、全般照明器具を天井や壁面に設ける必要がなくなるため、非常にすっきりとした空間となり、意匠的に好ましい病室を実現することが可能となる。【選択図】  図１
2005177149.tif 000002
【特許請求の範囲】
【請求項１】
カーテンレール本体にＬＥＤを複数設け、少なくとも一部のＬＥＤは他のＬＥＤとは異なる方向に光を放出することを特徴とするカーテンレール。
【請求項２】
前記少なくとも一部のＬＥＤは、カーテンレール本体の溝の一方の側に光を放出し、前記他のＬＥＤは前記溝の他方の側に光を放出する請求項１記載のカーテンレール。
【請求項３】
カーテンレール本体の溝の両側の下部にＬＥＤを設けた請求項２記載のカーテンレール。
【請求項４】
天井から吊り下げられたカーテンレール本体の上面にＬＥＤを設けた請求項２記載のカーテンレール。
【請求項５】
夜間に常夜灯として点灯するＬＥＤをカーテンレール本体の溝の両側にそれぞれ設けた請求項２記載のカーテンレール。
【請求項６】
カーテンレール本体はベッドの周囲に対応する辺に設置され、前記ベッドの枕元上部に位置する辺の前記カーテンレール本体の溝の内側の部位と足元上部に位置する辺の前記カーテンレール本体の溝の外側の部位に、夜間に常夜灯として点灯するＬＥＤを設けた請求項２記載のカーテンレール。
【請求項７】
カーテンレール本体はベッドの周囲に設置され、前記ベッドの枕元上部と足元上部の部位にＬＥＤを設け、人の体動を検知したときにのみ前記枕元上部のＬＥＤを点灯させるセンサを設けた請求項２記載のカーテンレール。
【請求項８】
ＬＥＤの一部もしくはすべてが近紫外線を照射するＬＥＤである請求項２記載のカーテンレール。
【請求項９】
カーテンレール本体の上面にのみ近紫外線を照射するＬＥＤを設けた請求項４記載のカーテンレール。
【請求項１０】
カーテンレール本体はベッドの周囲に対応する辺に設置され、前記カーテンレール本体の異なる辺において前記カーテンレール本体の溝よりも内側でかつ下面の位置にＬＥＤを設け、前記ＬＥＤよりベッド面の所定の位置へ光を照射可能とした請求項１記載のカーテンレール。
【請求項１１】
ＬＥＤは、ベッド面を複数の部位に分割したときに、分割した所定の部位へ光を照射可能とした請求項１０記載のカーテンレール。
【請求項１２】
カーテンレール本体の溝の外側もしくはＬＥＤと溝の間に溝と平行な遮光板を設けた請求項１０または１１記載のカーテンレール。
【請求項１３】
カーテンレールに取り付ける取り付け部と複数のＬＥＤとを備え、前記取り付け部により前記カーテンレールに取り付けた状態で、前記カーテンレールに沿って前記ＬＥＤが複数配設されるとともに、少なくとも一部のＬＥＤは他のＬＥＤとは異なる方向に放出することを特徴とする照明器具。
【請求項１４】
前記少なくとも一部のＬＥＤは、カーテンレール本体の溝の一方の側に光を放出し、前記他のＬＥＤは前記溝の他方の側に光を放出する請求項１３記載の照明器具。
【発明の詳細な説明】
【技術分野】
【０００１】
この発明は、病室などにおいて、プライベートな空間を得るためにベッド周辺に設置され、その病室に入院しているすべての患者のために使用されるカーテンレールおよび照明器具に関するものである。
【背景技術】
【０００２】
病室に代表される共同生活の場では、各ベッドごとにカーテンレールが設けられ、そこに取り付けられたカーテンを閉じることによりプライベート空間を確保できるよう配慮されていることが多い。図１７、図１８に示すように、このカーテンレール５０は各ベッド５１をコの字型、Ｌ字型で囲うように設けられるのが一般的である。
【０００３】
入院患者の生活の場でありかつ治療の場となる病室の照明は、様々な用途に対応できないといけない。よって、病室に設けられる照明器具は、部屋全体の明るさを確保する全般照明器具、医者や看護師が処置や治療の際に使用する処置灯、患者が読書する際に使用する読書灯、消灯後の安心・安全を確保する常夜灯などそれぞれ機能の異なる多くの照明器具から構成されることが一般的である。その中で、その病室で入院しているすべての患者のために使用される全般照明器具、常夜灯は専用の器具として既に商品化されている。病室の全般照明器具は、天井付の直射照明タイプと壁付の間接照明タイプの二通りあるが、共にベッド面に寝た状態でまぶしさを感じないように配慮されたものである。代表的な全般照明器具５２，６０を図１９（直接照明タイプ）、図２０（間接照明タイプ）に示す。また、常夜灯６１，６２は、天井何のダウンライトタイプのものと壁下部に設けられる足元灯タイプがあり、代表的な全般照明器具を図２１（天井付きタイプ）、図２２（壁付タイプ）に示す。
【０００４】
また、カーテンレールにランプが一体化された構成としては、ワンボックスカーの後部に開閉可能に設けられたバックドアの内側に設置されるカーテンレールに一体的にストップランプを取り付けたものがある（例えば特許文献１）。また、カーテンレールに機能が異なる複数のランプを付けて生活シーンに照明を適応させたものもある（例えば特許文献２）。
【特許文献１】特開平５−８２３７９号公報
【特許文献２】特開２０００−２９４３８６号公報
【発明の開示】
【発明が解決しようとする課題】
【０００５】
これまでの天井付の直射照明タイプの全般照明器具は部屋の中央に設置されることが一般的である。よって、カーテンを閉じた状態では遮光されてしまうため、患者の居るベッド上に光が届かず、暗いという問題があった。また、カーテンを開放した状態であっても、壁に光が届きにくいことから壁が暗く陰鬱な雰囲気の病室となってしまう問題があった。このような問題を避けるためにベッド上部に直射照明タイプの全般照明器具を設けようとしても、カーテンレールが邪魔になり取り付けできなかった。一方で、壁付の間接照明タイプの全般照明器具は天井の反射光を利用するものであるが、カーテンを閉じた状態では直接照明タイプとは反対にカーテンレールの外側に光が届きにくいという問題があった。仮にカーテンを開放した状態であっても、壁面近くのベッド頭部周辺のみが明るくなるだけで、部屋の付近では暗くなるという問題があった。つまり、直接照明タイプ、間接照明タイプのどちらであってもカーテンレールの内側と外側の両方を明るく照らすことが不可能であった。特許文献１，２も同様である。
【０００６】
ところで、近年では人間の生体リズムと光に関する研究がさかんに行われており、日中の高色温度光による高照度光照射が生体リズムの調整（メラトニン抑制、体温の調整など）に効果があることや、日没後の低色温度光による低照度環境が過剰な夜の覚醒を抑制するなど、人間の健康にとって必要な照度・色温度・波長などの光学特性は時間ごとに異なることがわかっている。既に、この特性を利用した照明システムが病院や高齢者福祉施設などの療養施設において実用化（特開２０００−２５２０８４）され、様々な効果が報告されている。生体リズム調整照明システムでは、起床、午前、午後、日没後、消灯前、深夜によって照明を調整している。しかし、このシステム（商品）は拡散光である蛍光灯を用いたものであるため、ベッド面において高照度を確保するには大型にならざるを得ず、意匠的に好ましい病室を実現できないという問題があった。
【０００７】
次に常夜灯について説明する。常夜灯は患者が深夜にトイレに移動する際に安全・安心を確保することと、看護師が深夜の巡回の際に患者の状態を確認したり看護日誌に記入する際に必要となる。まず、患者がトイレに移動する際の動きであるが、まずカーテンの内側に置いてある履物を履いてからカーテンの内側を歩行したのち、カーテンの外側に出てからトイレに向かって歩行する。よって、カーテンレールの内側と外側の両方に常夜灯を設けることが望ましいが、照明器具の台数が増加しコストアップにつながるため、そのような設計の病室はまれである。次に看護師が巡回する際の動きであるが、病室の外から病室内部すなわちカーテンレールの外側を歩行し、その後カーテンレールの内側に移動して患者の状態を確認し、その状態を看護日誌に記入することになる。よって、患者の場合と同様に、カーテンレールの内側と外側の両方に常夜灯を設けるのが望ましいといえるが、先ほどの理由でそのような設計の病室はまれである。
【０００８】
ところで、病院と他の屋内施設の異なる点は、病室では患者がベッド面上で仰向きになることが多いため、視線が天井方向に向くことが多くなる。よって、図１９のように、全般照明器具５２、常夜灯５３、処置灯５４、読書灯５５などの多くの種類の照明器具が天井部に取り付けられることは、意匠的に好まれない。
【０００９】
したがって、この発明の目的は、上述の全般照明器具、常夜灯に関する問題を解決するためになされたものであって、病室のベッド周辺に設けられるカーテンレールにおいて、これまでの照明手法と同等以上の視環境を確保しつつ、照明器具の存在を目立たなくすることが可能なカーテンレールおよび照明器具を提供することである。
【課題を解決するための手段】
【００１０】
上記課題を解決するためにこの発明の請求項１記載のカーテンレールは、カーテンレール本体にＬＥＤを複数設け、少なくとも一部のＬＥＤは他のＬＥＤとは異なる方向に光を放出する。
【００１１】
請求項２記載のカーテンレールは、請求項１記載のカーテンレールにおいて、前記少なくとも一部のＬＥＤは、カーテンレール本体の溝の一方の側に光を放出し、前記他のＬＥＤは前記溝の他方の側に光を放出する。
【００１２】
請求項３記載のカーテンレールは、請求項２記載のカーテンレールにおいて、カーテンレール本体の溝の両側の下部にＬＥＤを設けた。
【００１３】
請求項４記載のカーテンレールは、請求項２記載のカーテンレールにおいて、天井から吊り下げられたカーテンレール本体の上面にＬＥＤを設けた。
【００１４】
請求項５記載のカーテンレールは、請求項２記載のカーテンレールにおいて、夜間に常夜灯として点灯するＬＥＤをカーテンレール本体の溝の両側にそれぞれ設けた。
【００１５】
請求項６記載のカーテンレールは、請求項２記載のカーテンレールにおいて、カーテンレール本体はベッドの周囲に対応する辺に設置され、前記ベッドの枕元上部に位置する辺の前記カーテンレール本体の溝の内側の部位と足元上部に位置する辺の前記カーテンレール本体の溝の外側の部位に、夜間に常夜灯として点灯するＬＥＤを設けた。
【００１６】
請求項７記載のカーテンレールは、請求項２記載のカーテンレールにおいて、カーテンレール本体はベッドの周囲に設置され、前記ベッドの枕元上部と足元上部の部位にＬＥＤを設け、人の体動を検知したときにのみ前記枕元上部のＬＥＤを点灯させるセンサを設けた。
【００１７】
請求項８記載のカーテンレールは、請求項２記載のカーテンレールにおいて、ＬＥＤの一部もしくはすべてが近紫外線を照射するＬＥＤである。
【００１８】
請求項９記載のカーテンレールは、請求項４記載のカーテンレールにおいて、カーテンレール本体の上面にのみ近紫外線を照射するＬＥＤを設けた。
【００１９】
請求項１０記載のカーテンレールは、請求項１記載のカーテンレールにおいて、カーテンレール本体はベッドの周囲に対応する辺に設置され、前記カーテンレール本体の異なる辺において前記カーテンレール本体の溝よりも内側でかつ下面の位置にＬＥＤを設け、前記ＬＥＤよりベッド面の所定の位置へ光を照射可能とした。
【００２０】
請求項１１記載のカーテンレールは、請求項１０記載のカーテンレールにおいて、ＬＥＤは、ベッド面を複数の部位に分割したときに、分割した、所定の部位へ光を照射可能とした。
【００２１】
請求項１２記載のカーテンレールは、請求項１０または１１記載のカーテンレールにおいて、カーテンレール本体の溝の外側もしくはＬＥＤと溝の間に溝と平行な遮光板を設けた。
【００２２】
請求項１３記載の照明器具は、カーテンレールに取り付ける取り付け部と複数のＬＥＤとを備え、前記取り付け部により前記カーテンレールに取り付けた状態で、前記カーテンレールに沿って前記ＬＥＤが複数配設されるとともに、少なくとも一部のＬＥＤは他のＬＥＤとは異なる方向に放出する。
【００２３】
請求項１４記載の照明器具は、請求項１３記載の照明器具において、前記少なくとも一部のＬＥＤは、カーテンレール本体の溝の一方の側に光を放出し、前記他のＬＥＤは前記溝の他方の側に光を放出する。
【発明の効果】
【００２４】
この発明の請求項１記載のカーテンレールによれば、カーテンレール本体にＬＥＤを複数設け、少なくとも一部のＬＥＤは他のＬＥＤとは異なる方向に光を放出するので、患者のプライベートエリア（カーテンレール内側）と共用エリア（カーテンレール外側）の明るさを確保することが可能となる。よって、全般照明として使用する際にはこれまでのようなカーテンにより遮光されて暗くなることを防止することが可能となる。また、全般照明器具を天井や壁面に設ける必要がなくなるため、非常にすっきりとした空間となり、意匠的に好ましい病室を実現することが可能となる。
【００２５】
請求項２では、少なくとも一部のＬＥＤは、カーテンレール本体の溝の一方の側に光を放出し、他のＬＥＤは溝の他方の側に光を放出するので、カーテンレール内側とカーテンレール外側の明るさを確保することが可能となる。
【００２６】
請求項３では、カーテンレール本体の溝の両側の下部にＬＥＤを設けたので、カーテンを開放している時及び閉めている時のどちらの状態であっても、カーテンレール内側とカーテンレール外側の明るさを確保することが可能となる。
【００２７】
請求項４では、天井から吊り下げられたカーテンレール本体の上面にＬＥＤを設けたので、間接照明として使用する場合、天井面からの反射光を有効に利用することが可能となる。また、光が反射する天井の部位がカーテンレールの周辺となるため、カーテンを閉じた状態であっても、カーテンレール内側とカーテンレール外側の明るさを確保することが可能となる。また、全般照明器具（間接照明タイプ）を壁面に設ける必要がなくなるため、意匠的に好ましい病室を実現することが可能となる。
【００２８】
請求項５では、夜間に常夜灯として点灯するＬＥＤをカーテンレールの溝の両側にそれぞれ設けたので、患者はカーテンレールの内側に設けたＬＥＤ常夜灯により足元の履物を確認することが可能であり、その後カーテンレールの外側に設けたＬＥＤ常夜灯により、トイレに歩く際の安全を確保することが可能となる。このとき、カーテンが閉じた状態であっても遮光されることはないので、常時患者の安全を確保することが可能である。また、看護師の巡回においても、看護日誌等を書きこむ際の明かりとして活用可能であり、患者の状態を確認することが可能である。また、病室等に設置される専用の常夜灯を設ける必要がなくなるため、コスト削減につながるだけでなく、意匠的に好ましい病室を実現することが可能となる。
【００２９】
請求項６では、カーテンレール本体はベッドの周囲に対応する辺に設置され、ベッドの枕元上部に位置する辺のカーテンレール本体の溝の内側の部位と足元上部に位置する辺のカーテンレール本体の溝の外側の部位に、夜間に常夜灯として点灯するＬＥＤを設けたので、患者のスリッパ履が置かれる位置（枕元上部、カーテンレール内側）とトイレへの移動時の歩行位置（足元上部、カーテンレール外側）に集中的にＬＥＤを設けることで、視認性を確保しながらもＬＥＤの数を最小限にできるため、コストを削減することが可能となる。
【００３０】
請求項７では、カーテンレール本体はベッドの周囲に設置され、ベッドの枕元上部と足元上部の部位にＬＥＤを設け、人の体動を検知したときにのみ枕元上部のＬＥＤを点灯させるセンサを設けたので、センサにより患者の動きを検知したときだけ点灯することで、ランニングコストを削減することが可能である。また、常時点灯しないことで、患者の睡眠の質を高めることが可能となる。
【００３１】
請求項８では、ＬＥＤの一部もしくはすべてが近紫外線を照射するＬＥＤであるので、カーテンレール内の空気及びベッド面全体の殺菌・消臭を行なうことが可能となる。ところで、紫外線ＬＥＤは人体に悪影響を及ぼす波長域ではないため、特別な安全対策を行わなくても良い。
【００３２】
請求項９では、カーテンレール本体の上面にのみ近紫外線を照射するＬＥＤを設けたので、天井の反射光によりカーテンレール内の空気及びベッド面全体の殺菌・消臭を行なうことになるため、患者に悪影響を及ぼすことを確実に防止することが可能となる。
【００３３】
請求項１０では、カーテンレール本体はベッドの周囲に対応する辺に設置され、カーテンレール本体の異なる辺においてカーテンレール本体の溝よりも内側でかつ下面の位置にＬＥＤを設け、ＬＥＤよりベッド面の所定の位置へ光を照射可能としたので、カーテンを開放している時及び閉めている時のどちらの状態であっても、ベッド面上の任意の箇所（処置部位、読書部位）を照射することが可能となる。また、ＬＥＤという指向性の強い光源を用いるため、周囲への光漏れを抑えることが可能であり、深夜の消灯時間帯の読書灯や介護灯として使用する際に他の同室患者に迷惑を掛けることが軽減できる。また、病室等に設置される専用の処置灯及び読書灯を設ける必要がなくなるため、非常にすっきりとした空間となり、意匠的に好ましい病室を実現することが可能となる。
【００３４】
また、処置灯として使用する際には、複数の方向から光を照射することが可能となるために、処置部位が医師や看護婦の陰になりにくくなり、作業性を損なうことを防止することが可能である。また、読書灯として使用する際には、本を読む位置や患者の姿勢が変化しても、手暗がりなどの患者自身の陰になりにくくなり、視認性を損なうことを防止することが可能である。
【００３５】
請求項１１では、ＬＥＤは、ベッド面を複数の部位に分割したときに、分割した、所定の部位へ光を照射可能としたので、処置灯として使用する際に複数のＬＥＤの照射する場所を変えることにより、処置部位にフレキシブルに対応することが可能である。例えば、足と手を処置しなければならない患者の場合、それぞれ異なるＬＥＤを用いて両方の箇所を照らすことが可能となる。よって、医師や看護婦の作業性が向上し、医療ミスなどの問題を軽減することが可能である。
【００３６】
請求項１２では、カーテンレール本体の溝の外側もしくはＬＥＤと溝の間に溝と平行な遮光板を設けたので、ＬＥＤを点灯した際にカーテン外部の光漏れを最小限に抑制することが可能となる。よって、深夜の消灯時間帯の読書灯や介護灯として使用する際に他の同室患者に迷惑を掛けることが軽減できる。
【００３７】
この発明の請求項１３記載の照明器具によれば、カーテンレールに取り付ける取り付け部と複数のＬＥＤとを備え、取り付け部によりカーテンレールに取り付けた状態で、カーテンレールに沿ってＬＥＤが複数配設されるとともに、少なくとも一部のＬＥＤは他のＬＥＤとは異なる方向に放出するので、カーテンレールに取り付け可能なＬＥＤを使用した照明器具において請求項１と同様の作用効果が得られる。
【００３８】
請求項１４では、少なくとも一部のＬＥＤは、カーテンレール本体の溝の一方の側に光を放出し、他のＬＥＤは溝の他方の側に光を放出するので、カーテンレールに取り付け可能なＬＥＤを使用した照明器具において請求項２と同様の作用効果が得られる。
【発明を実施するための最良の形態】
【００３９】
この発明の第１の実施の形態を図１に基づいて説明する。図１は本発明の第１の実施形態のカーテンレールの断面図である。
【００４０】
図１に示すように、このカーテンレールは、カーテンレール本体１に複数のＬＥＤ２を設けたＬＥＤ付きカーテンレールである。この場合、天井１０にカーテンレール本体１が設置され、その溝１１にカーテン１２が移動自在に吊持されている。カーテンレール本体１の溝１１の両側の下部に複数のＬＥＤ２を設けている。複数のＬＥＤ２のうち、少なくとも一部のＬＥＤ２は、カーテンレール本体１の溝１１の一方の側に光を放出し、他のＬＥＤ２は溝１１の他方の側に光を放出するように設定されている。
【００４１】
本実施形態では、上記のようにカーテンレール本体１の溝１１の両側にＬＥＤ２を設けたもので、カーテン１２を閉じた場合であってもその内側と外側を共に照射できるようにしている。これによりカーテン１２を開放している時及び閉めている時のどちらの状態であっても、患者のプライベートエリア（カーテンレール内側）と共用エリア（カーテンレール外側）の明るさを確保することが可能となる。よって、全般照明として使用する際にはこれまでのようなカーテン１２により遮光されて暗くなることを防止することが可能となる。また、全般照明器具を天井や壁面に設ける必要がなくなるため、非常にすっきりとした空間となり、意匠的に好ましい病室を実現することが可能となる。
【００４２】
この発明の第２の実施の形態を図２に基づいて説明する。図２は本発明の第２の実施形態のカーテンレールの断面図である。第１の実施形態と同一部材には同一符号を付してその説明を省略する。
【００４３】
図２に示すように、このカーテンレールは、カーテンレール本体１が天井１０から吊り具１３により吊り下げられた吊り下げ型のカーテンレールである。カーテンレール本体１は、第１の実施形態と同様の構成であるが、下部のＬＥＤ２の他に上面にもＬＥＤ２を設けている。
【００４４】
本実施形態では、間接照明として使用する場合、天井面からの反射光を有効に利用することが可能となる。また、光が反射する天井の部位がカーテンレールの周辺となるため、カーテン１２を閉じた状態であっても、患者のプライベートエリア（カーテンレール内側）と共用エリア（カーテンレール外側）の明るさを確保することが可能となる。よって、全般照明として使用する際にはこれまでのようなカーテン１２により遮光されることで暗くなること防止することが可能となる。また、全般照明器具（間接照明タイプ）を壁面に設ける必要がなくなるため、非常にすっきりとした空間となり、意匠的に好ましい病室を実現することが可能となる。
【００４５】
この発明の第３の実施の形態を図３に基づいて説明する。図３は本発明の第３の実施形態のカーテンレールの断面図である。第１の実施形態と同一部材には同一符号を付してその説明を省略する。
【００４６】
図３に示すように、夜間に常夜灯として点灯するＬＥＤ２ａをカーテンレール本体１の溝１１の両側にそれぞれ設けている。つまり、カーテン１２を閉じた場合であってもその内側と外側を共に照射できるようにした。カーテンレール本体１は、天井１０に設置しているが、第２の実施形態のように吊り下げ型でもよい。
【００４７】
本実施形態では、患者はカーテンレールの内側に設けたＬＥＤ常夜灯２ａにより足元の履物を確認することが可能であり、その後カーテンレール１の外側に設けたＬＥＤ常夜灯２ａにより、トイレに歩く際の安全を確保することが可能となる。このとき、カーテン１２が閉じた状態であっても遮光されることはないので、常時患者の安全を確保することが可能である。また、看護師の巡回においても、看護日誌等を書きこむ際の明かりとして活用可能であり、患者の状態を確認することが可能である。また、病室等に設置される専用の常夜灯を設ける必要がなくなるため、コスト削減につながるだけでなく、非常にすっきりとした空間となり、意匠的に好ましい病室を実現することが可能となる。
【００４８】
この発明の第４の実施の形態を図４に基づいて説明する。図４は本発明の第４の実施形態のカーテンレールの概念を示す平面図である。第１の実施形態と同一部材には同一符号を付してその説明を省略する。
【００４９】
図４に示すように、カーテンレール本体１はベッド１５の周囲に対応する辺に設置されている。そして、ベッド１５の枕元上部に位置する辺のカーテンレール本体１の溝１１の内側の部位と足元上部に位置する辺のカーテンレール本体１の溝１１の外側の部位に、夜間に常夜灯として点灯するＬＥＤ２ａを設けている。カーテンレール本体１は、第１の実施形態のように天井に設置する他、第２の実施形態のように吊り下げ型でもよい。
【００５０】
本実施形態では、患者のスリッパ履が置かれる位置（枕元上部、カーテンレール内側）とトイレへの移動時の歩行位置（足元上部、カーテンレール外側）に集中的にＬＥＤ２ａを設けることで、視認性を確保しながらもＬＥＤ２ａの数を最小限にできるため、コストを削減することが可能となる。
【００５１】
この発明の第５の実施の形態を図５に基づいて説明する。図５は本発明の第５の実施形態のカーテンレールの断面図である。第１の実施形態と同一部材には同一符号を付してその説明を省略する。
【００５２】
図５に示すように、カーテンレール本体１はベッド（図示せず）の周囲に設置されている。そして、カーテンレール本体１のベッドの枕元上部と足元上部の部位にＬＥＤ２を設け、人（患者）の体動を検知したときにのみ枕元上部のＬＥＤ２を点灯させるセンサ１７を設けている。ＬＥＤ２は常夜灯として点灯するものを用いてもよい。カーテンレール本体１は、天井１０に設置しているが、第２の実施形態のように吊り下げ型でもよい。
【００５３】
本実施形態では、センサ１７により患者の動きを検知したときだけ点灯することで、ランニングコストを削減することが可能である。また、常時点灯しないことで、患者の睡眠の質を高めることが可能となる。
【００５４】
この発明の第６の実施の形態について説明する。
【００５５】
第１の実施形態に示した複数のＬＥＤと照明制御装置からなるシステムにおいて、ベッド面、壁面、天井面などの照度、光色等を変化させることを可能とした（詳細は特開２０００−２５２０８４号参照）。光には生体リズムを調整する機能があり、それらを応用した病室照明のシステムが実用化されているが、その照明制御をカーテンレール照明器具で実現したものが本実施形態である。具体的には、快適な目覚めを促すために起床時は漸増光を照射し、生体リズムを活性化するために午前中は青色成分の多い高色温度光の光で高照度に設定し、午後は高色温度のまま一般的な照度に設定し、日没後は一般的な照度を維持しながら低色温度に切り替わり、消灯前はやや低い照度に設定することで安定した生体リズムを維持することが可能である。このとき、照明制御はカーテンレール照明器具に内蔵しても外部に設けても良い。
【００５６】
この発明の第７の実施の形態を図６に基づいて説明する。図６は本発明の第７の実施形態のカーテンレールの断面図である。第１の実施形態と同一部材には同一符号を付してその説明を省略する。
【００５７】
図６に示すように、設けられたＬＥＤ２の一部もしくはすべてが近紫外線を照射するＬＥＤである。この場合、ＬＥＤ２は可視光線を照射するものに加えて、近紫外線ＬＥＤ２ｂをカーテンレール本体１の下部および側部に設けている。カーテンレール本体１は、第１の実施形態と同様に天井１０に設置している。
【００５８】
本実施形態では、カーテンレール内の空気及びベッド面全体の殺菌・消臭を行なうことが可能となる。ところで、紫外線ＬＥＤは人体に悪影響を及ぼす波長域ではないため、特別な安全対策を行わなくても良い。
【００５９】
この発明の第８の実施の形態を図７に基づいて説明する。図７は本発明の第８の実施形態のカーテンレールの断面図である。第１の実施形態と同一部材には同一符号を付してその説明を省略する。
【００６０】
図７に示すように、このカーテンレールは、第２の実施形態と同様に吊り下げ型であり、カーテンレール本体１の上面にのみ近紫外線を照射するＬＥＤ２ｂを設けている。
【００６１】
本実施形態では、天井１０の反射光によりカーテンレール内の空気及びベッド面全体の殺菌・消臭を行なうことになるため、患者に悪影響を及ぼすことを確実に防止することが可能となる。
【００６２】
この発明の第９の実施の形態を図８および図９に基づいて説明する。図８は本発明の第９の実施形態のカーテンレールの断面図、図９は本発明の第９の実施形態のカーテンレールの概念を示す平面図である。第１の実施形態と同一部材には同一符号を付してその説明を省略する。
【００６３】
図９および図１０に示すように、カーテンレール本体１はベッド１３の周囲に対応する辺に設置されている。そして、カーテンレール本体１の異なる辺においてカーテンレール本体１の溝１１よりも内側でかつ下面の位置にＬＥＤ２を設け、ＬＥＤ２よりベッド面の所定の位置へ光を照射可能としている。つまり、カーテン１２を閉めた時にその内側のみを照射できるようにしたものである。カーテンレール本体１は、天井１０に設置しているが、第２の実施形態のように吊り下げ型でもよい。
【００６４】
本実施形態では、カーテン１２を開放している時及び閉めている時のどちらの状態であっても、ベッド面上の任意の箇所（処置部位、読書部位）を照射することが可能となる。また、ＬＥＤという指向性の強い光源を用いるため、周囲への光漏れを抑えることが可能であり、深夜の消灯時間帯の読書灯や介護灯として使用する際に他の同室患者に迷惑を掛けることが軽減できる。また、病室等に設置される専用の処置灯及び読書灯を設ける必要がなくなるため、非常にすっきりとした空間となり、意匠的に好ましい病室を実現することが可能となる。
【００６５】
また、処置灯として使用する際には、複数の方向から光を照射することが可能となるために、処置部位が医師や看護婦の陰になりにくくなり、作業性を損なうことを防止することが可能である。また、読書灯として使用する際には、本を読む位置や患者の姿勢が変化しても、手暗がりなどの患者自身の陰になりにくくなり、視認性を損なうことを防止することが可能である。
【００６６】
これまでの処置灯は、ハロゲン電球などを光源とした照射方向固定式のダウンライトが一般的であったが、このタイプは、ベッド部の特定の場所を集中的に照射するには有効であったが、患者の病気によって異なるすべての処置部分を照射することは困難であった。つまり、照明器具の配置設計時点ではベッド面中心を照射するように設置されることが多いため、足や手や頭部などのベッド中央から離れたところを処置する際に光が届かないという問題があった。また、照射方向を手動で変更することが可能なタイプもあるが、天井面に設置されているために、処置のたびに照射方向を変更することは事実上不可能であった。また、リモコン等により照射方向を変更することが可能なタイプもあるが、非常に高価であるためほとんど普及していないのが現状である。更に上記のすべてのタイプに共通することであるが、天井の一箇所から狭角の光を照射するために、処置部分が医師や看護師の手や頭の陰になるという問題があった。
【００６７】
次にこれまでの読書灯６３は、アーム式のものが一般的であるが（図２０）、壁の強度が足りないと取り付けできない、壁の取り付け箇所が壊れやすい、患者の近くまで接近するために熱が気になる、壁から出っ張りが生じるために意匠上好ましくないなどの問題が指摘されていた。また、天井に取り付けるダウンライトタイプもあるが、この場合は、前述した処置灯と同様の問題が生じる。また、壁に取り付けるタイプもあるが、患者が身体を起こして読書をするときに患者自身の身体の陰になってしまうという問題があった。
【００６８】
更に、処置灯、読書灯に加えて全般照明器具、常夜灯といった多くの種類の照明器具が必要になるため（図１９）、意匠的にすっきりとした空間を実現することが困難であった。本実施形態によりこれらの問題を解決することができる。
【００６９】
この発明の第１０の実施の形態を図１０に基づいて説明する。図１０は本発明の第１０の実施形態のカーテンレールの概念を示す平面図である。第１の実施形態と同一部材には同一符号を付してその説明を省略する。
【００７０】
図１０に示すように、第９の実施形態において、ＬＥＤ２は、ベッド面を複数の部位に分割したときに、分割した、所定の部位へ光を照射可能としている。すなわち、ＬＥＤ単体の光束は小さいため、カーテンレールは複数のＬＥＤから構成されることが想定されるが、同図のように光学特性（配光・光色など）の異なるＬＥＤ２を異なる方向に光が照射されるように設置している。この場合、ベッド１３のベッド面を４つの部位に分割した構成としたがこれ以外でもよい。
【００７１】
本実施形態では、処置灯として使用する際に複数のＬＥＤ２の照射する場所を変えることにより、処置部位にフレキシブルに対応することが可能である。例えば、足と手を処置しなければならない患者の場合、それぞれ異なるＬＥＤ２を用いて両方の箇所を照らすことが可能となる。よって、医師や看護婦の作業性が向上し、医療ミスなどの問題を軽減することが可能である。
【００７２】
この発明の第１１の実施の形態を図１１に基づいて説明する。図１１は本発明の第１１の実施形態のカーテンレールの概念を示す平面図である。第１の実施形態と同一部材には同一符号を付してその説明を省略する。
【００７３】
図１１に示すように、第９の実施形態において、ベッド１３の枕元上部に位置する辺に集中してＬＥＤ２を設けたものである。これにより、ベッド面の頭部位置を集中的に照射することができる。
【００７４】
本実施形態では、読書灯として使用する際に頭部付近を集中的に照射することが可能であるため、ＬＥＤの個数を最小限にすることが可能である。よって、カーテンレールの機器費用（イニシャルコスト）及び消費電力（ランニングコスト）を抑制することが可能となる。
【００７５】
この発明の第１２の実施の形態を図１２に基づいて説明する。図１２は本発明の第１２の実施形態のカーテンレールの断面図である。第１の実施形態と同一部材には同一符号を付してその説明を省略する。
【００７６】
図１２に示すように、第９の実施形態において、カーテンレール本体１の溝１１の外側もしくはＬＥＤ２と溝１１の間に溝１１と平行な遮光板１９を設けている。
【００７７】
本実施形態では、ＬＥＤ２を点灯した際にカーテン１２外部の光漏れを最小限に抑制することが可能となる。よって、深夜の消灯時間帯の読書灯や介護灯として使用する際に他の同室患者に迷惑を掛けることが軽減できる。
【００７８】
この発明の第１３の実施の形態を図１３に基づいて説明する。図１３は本発明の第１３の実施形態のカーテンレールの断面図である。第１の実施形態と同一部材には同一符号を付してその説明を省略する。
【００７９】
図１３に示すように、第９の実施形態において、カーテンレール本体１の側面にもＬＥＤ２を設けている。
【００８０】
本実施形態では、天井面を明るく照射することができるため、非常に明るさ感の高い快適な病室空間を実現することが可能となる。
【００８１】
この発明の第１４の実施の形態を図１４に基づいて説明する。図１４は本発明の第１４の実施形態のカーテンレールの断面図である。第１の実施形態と同一部材には同一符号を付してその説明を省略する。
【００８２】
図１４に示すように、第９の実施形態において、カーテンレール本体１に設けたＬＥＤ２の一部もしくはすべてが近紫外線を照射する近紫外線ＬＥＤ２ｂである。
【００８３】
本実施形態では、カーテンレール内の空気及びベッド面全体の殺菌・消臭を行なうことが可能となる。なお、近紫外線ＬＥＤ２ｂは人体に悪影響を及ぼす波長域ではないため、特別な安全対策を行なわなくても良いという利点がある。
【００８４】
この発明の第１５の実施の形態を図１５に基づいて説明する。図１５は本発明の第１５の実施形態の照明器具の取付状態の断面図である。
【００８５】
図１５に示すように、この照明器具２０は、カーテンレール２１に取り付ける取り付け部２２と複数のＬＥＤ２とを備えている。カーテンレール２１は天井１０に設置され、その溝１１にカーテン１２が移動自在に吊持されている。また、カーテンレール２１の内側の側面に取り付け部２３が設けてある。照明器具２０の取り付け部２２は、カーテンレール２１の取り付け部２３に係合して着脱自在に容易に取り付けることができる。
【００８６】
上記の照明器具２０を取り付け部２２，２３によりカーテンレール２１に取り付けた状態で、カーテンレール２１に沿ってＬＥＤ２が複数配設されるとともに、少なくとも一部のＬＥＤ２は他のＬＥＤ２とは異なる方向に放出する。
【００８７】
本実施形態では、カーテンレール２１に取り付け可能なＬＥＤ２を使用した照明器具２０において、第９の実施形態と同様にベッド面上の任意の箇所（処置部位、読書部位）を照射することが可能となる。なお、取り付け部２２，２３は、取り付け金具を用いるのが一般的であるが、磁性体と磁石、マジックテープ、取り外し可能な接着剤などを用いてもよい。また、カーテンレール２１は吊り下げ型でもよい。
【００８８】
この発明の第１６の実施の形態を図１６に基づいて説明する。図１６は本発明の第１６の実施形態の照明器具の取付状態の断面図である。
【００８９】
図１６に示すように、第１５の実施形態において、少なくとも一部のＬＥＤ２と他のＬＥＤ２は、カーテンレール２１の溝１１の両側に光を放出する。この場合、照明器具２０は、カーテンレール２１の内側および外側に配置される。カーテンレール２１は両側面に取り付け部２３が設けてあり、それぞれの取り付け部２３に照明器具２０の取り付け部２２が係合して着脱自在に容易に取り付けることができる。
【００９０】
本実施形態では、カーテンレール２１に取り付け可能なＬＥＤ２を使用した照明器具２０において、第１の実施形態と同様に、カーテン１２を開放している時及び閉めている時のどちらの状態であっても、患者のプライベートエリア（カーテンレール内側）と共用エリア（カーテンレール外側）の明るさを確保することが可能となる。
【図面の簡単な説明】
【００９１】
【図１】本発明の第１の実施形態のカーテンレールの断面図である。
【図２】本発明の第２の実施形態のカーテンレールの断面図である。
【図３】本発明の第３の実施形態のカーテンレールの断面図である。
【図４】本発明の第４の実施形態のカーテンレールの概念を示す平面図である。
【図５】本発明の第５の実施形態のカーテンレールの断面図である。
【図６】本発明の第７の実施形態のカーテンレールの断面図である。
【図７】本発明の第８の実施形態のカーテンレールの断面図である。
【図８】本発明の第９の実施形態のカーテンレールの断面図である。
【図９】本発明の第９の実施形態のカーテンレールの概念を示す平面図である。
【図１０】本発明の第１０の実施形態のカーテンレールの概念を示す平面図である。
【図１１】本発明の第１１の実施形態のカーテンレールの概念を示す平面図である。
【図１２】本発明の第１２の実施形態のカーテンレールの断面図である。
【図１３】本発明の第１３の実施形態のカーテンレールの断面図である。
【図１４】本発明の第１４の実施形態のカーテンレールの断面図である。
【図１５】本発明の第１５の実施形態の照明器具の取付状態の断面図である。
【図１６】本発明の第１６の実施形態の照明器具の取付状態の断面図である。
【図１７】ベッド周辺のカーテンレールの配置例を示す説明図である。
【図１８】ベッド周辺のカーテンレールの配置例の別の例を示す説明図である。
【図１９】従来例の全般照明器具（直接照明タイプ）の説明図である。
【図２０】従来例の全般照明器具（間接照明タイプ）の説明図である。
【図２１】従来例の常夜灯（天井付タイプ）の説明図である。
【図２２】従来例の常夜灯（壁付タイプ）の説明図である。
【符号の説明】
【００９２】
１  カーテンレール本体
２  ＬＥＤ
２ａ  常夜灯ＬＥＤ
２ｂ  近紫外線ＬＥＤ
１１  溝
１５  ベッド
１７  センサ
１９  遮光板
２０  照明器具
２１  カーテンレール
２２，２３  取り付け部
【図１】
2005177149.tif 000003
【図２】
2005177149.tif 000004
【図３】
2005177149.tif 000005
【図４】
2005177149.tif 000006
【図５】
2005177149.tif 000007
【図６】
2005177149.tif 000008
【図７】
2005177149.tif 000009
【図８】
2005177149.tif 000010
【図９】
2005177149.tif 000011
【図１０】
2005177149.tif 000012
【図１１】
2005177149.tif 000013
【図１２】
2005177149.tif 000014
【図１３】
2005177149.tif 000015
【図１４】
2005177149.tif 000016
【図１５】
2005177149.tif 000017
【図１６】
2005177149.tif 000018
【図１７】
2005177149.tif 000019
【図１８】
2005177149.tif 000020
【図１９】
2005177149.tif 000021
【図２０】
2005177149.tif 000022
【図２１】
2005177149.tif 000023
【図２２】
2005177149.tif 000024
【手続補正書】
【提出日】平成16年6月18日(2004.6.18)
【手続補正１】
【補正対象書類名】特許請求の範囲
【補正対象項目名】全文
【補正方法】変更
【補正の内容】
【特許請求の範囲】
【請求項１】
カーテンを移動自在に吊持する溝を有するカーテンレール本体にＬＥＤを複数設け、少なくとも一部のＬＥＤは、前記カーテンレール本体の溝の一方の側に光を放出し、他のＬＥＤは前記カーテンレール本体の溝の他方の側に光を放出することを特徴とするカーテンレール。
【請求項２】
前記ＬＥＤは、カーテンレール本体の溝の両側の下面に設けた請求項１記載のカーテンレール。
【請求項３】
前記カーテンレール本体は天井から吊り下げられ、前記複数のＬＥＤの一部を前記カーテンレール本体の上面に配置したことを特徴とする請求項１または２記載のカーテンレール。
【請求項４】
前記複数のＬＥＤのうち夜間に常夜灯として点灯するＬＥＤを有し、この常夜灯として点灯するＬＥＤを前記カーテンレール本体の溝の両側にそれぞれ設けた請求項１または２記載のカーテンレール。
【請求項５】
前記複数のＬＥＤのうち夜間に常夜灯として点灯するＬＥＤを有し、前記カーテンレール本体はベッドの周囲の上方に設置され、前記ベッドの枕元上方に位置する前記カーテンレール本体の溝の内側の部位と足元上方に位置する前記カーテンレール本体の溝の外側の部位に、前記常夜灯として点灯するＬＥＤを設けた請求項１または２記載のカーテンレール。
【請求項６】
前記カーテンレール本体は、ベッドの周囲の上方に設置され、前記ベッドの枕元上方と足元上方の部位に前記ＬＥＤを設け、人の体動を検知したときにのみ前記枕元上方のＬＥＤを点灯させるセンサを設けた請求項１または２記載のカーテンレール。
【請求項７】
前記ＬＥＤの一部もしくはすべてが近紫外線を照射するＬＥＤである請求項１，２または３記載のカーテンレール。
【請求項８】
前記複数のＬＥＤのうち前記カーテンレール本体の上面にのみ近紫外線を照射するＬＥＤを設けた請求項３記載のカーテンレール。
【請求項９】
カーテンを移動自在に吊持する溝を有するカーテンレール本体がベッドの周囲の上方に設置され、前記カーテンレール本体の相互に方向が異なる部分において前記カーテンレール本体の溝よりも内側でかつ下面の位置にＬＥＤを設け、前記ＬＥＤよりベッド面の所定の位置へ光を照射可能としたことを特徴とするカーテンレール。
【請求項１０】
前記ＬＥＤは、ベッド面を複数の部位に分割したときに、分割した所定の部位へ光を照射可能とした請求項９記載のカーテンレール。
【請求項１１】
前記カーテンレール本体の溝の外側もしくはＬＥＤと溝の間に溝と平行にカーテン外部への光漏れを防止する遮光板を設けた請求項９または１０記載のカーテンレール。
【請求項１２】
カーテンを移動自在に吊持する溝を有しベッドの周囲の上方に設置されたカーテンレールと、前記カーテンレールに取り付けるための取り付け部と複数のＬＥＤを設けた照明器具とを備え、前記カーテンレールの相互に方向が異なる部分の内側において前記取り付け部に係合する被取り付け部を設け、前記取り付け部と前記被取り付け部による照明器具の取り付け状態で、前記カーテンレールに沿って前記ＬＥＤが複数配設されるとともに、前記ＬＥＤよりベッド面の所定の位置へ光を照射可能としたことを特徴とする照明装置。
【請求項１３】
カーテンを移動自在に吊持する溝を有し溝の両側に被取り付け部を設けたカーテンレールと、前記カーテンレールの被取り付け部に係合する取り付け部と複数のＬＥＤを設けた照明器具とを備え、前記取り付け部と前記被取り付け部による照明器具の取り付け状態で、前記カーテンレールに沿って前記ＬＥＤが複数配設されるとともに、前記複数のＬＥＤのうち少なくとも一部のＬＥＤは、カーテンレールの溝の一方の側に光を放出し、他のＬＥＤは溝の他方の側に光を放出することを特徴とする照明装置。
【手続補正３】
【補正対象書類名】明細書
【補正対象項目名】０００１
【補正方法】変更
【補正の内容】
【０００１】
この発明は、病室などにおいて、プライベートな空間を得るためにベッド周辺に設置され、その病室に入院しているすべての患者のために使用されるカーテンレールおよび照明装置に関するものである。
【手続補正４】
【補正対象書類名】明細書
【補正対象項目名】０００３
【補正方法】変更
【補正の内容】
【０００３】
入院患者の生活の場でありかつ治療の場となる病室の照明は、様々な用途に対応できないといけない。よって、病室に設けられる照明器具は、部屋全体の明るさを確保する全般照明器具、医者や看護師が処置や治療の際に使用する処置灯、患者が読書する際に使用する読書灯、消灯後の安心・安全を確保する常夜灯などそれぞれ機能の異なる多くの照明器具から構成されることが一般的である。その中で、その病室で入院しているすべての患者のために使用される全般照明器具、常夜灯は専用の器具として既に商品化されている。病室の全般照明器具は、天井付の直射照明タイプと壁付の間接照明タイプの二通りあるが、共にベッド面に寝た状態でまぶしさを感じないように配慮されたものである。代表的な全般照明器具５２，６０を図１９（直接照明タイプ）、図２０（間接照明タイプ）に示す。また、常夜灯６１，６２は、天井付のダウンライトタイプのものと壁下部に設けられる足元灯タイプがあり、代表的な全般照明器具を図２１（天井付きタイプ）、図２２（壁付タイプ）に示す。
【手続補正５】
【補正対象書類名】明細書
【補正対象項目名】０００５
【補正方法】変更
【補正の内容】
【０００５】
これまでの天井付の直射照明タイプの全般照明器具は部屋の中央に設置されることが一般的である。よって、カーテンを閉じた状態では遮光されてしまうため、患者の居るベッド上に光が届かず、暗いという問題があった。また、カーテンを開放した状態であっても、壁に光が届きにくいことから壁が暗く陰鬱な雰囲気の病室となってしまう問題があった。このような問題を避けるためにベッド上部に直射照明タイプの全般照明器具を設けようとしても、カーテンレールが邪魔になり取り付けできなかった。一方で、壁付の間接照明タイプの全般照明器具は天井の反射光を利用するものであるが、カーテンを閉じた状態では直接照明タイプとは反対にカーテンレールの外側に光が届きにくいという問題があった。仮にカーテンを開放した状態であっても、壁面近くのベッド頭部周辺のみが明るくなるだけで、部屋の中央付近では暗くなるという問題があった。つまり、直接照明タイプ、間接照明タイプのどちらであってもカーテンレールの内側と外側の両方を明るく照らすことが不可能であった。特許文献１，２も同様である。
【手続補正６】
【補正対象書類名】明細書
【補正対象項目名】０００９
【補正方法】変更
【補正の内容】
【０００９】
したがって、この発明の目的は、上述の全般照明器具、常夜灯に関する問題を解決するためになされたものであって、病室のベッド周辺に設けられるカーテンレールにおいて、これまでの照明手法と同等以上の視環境を確保しつつ、照明器具の存在を目立たなくすることが可能なカーテンレールおよび照明装置を提供することである。
【手続補正７】
【補正対象書類名】明細書
【補正対象項目名】００１０
【補正方法】変更
【補正の内容】
【００１０】
上記課題を解決するためにこの発明の請求項１記載のカーテンレールは、カーテンを移動自在に吊持する溝を有するカーテンレール本体にＬＥＤを複数設け、少なくとも一部のＬＥＤは、前記カーテンレール本体の溝の一方の側に光を放出し、他のＬＥＤは前記カーテンレール本体の溝の他方の側に光を放出する。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
請求項２記載のカーテンレールは、請求項１記載のカーテンレールにおいて、前記ＬＥＤは、カーテンレール本体の溝の両側の下面に設けた。
【手続補正１０】
【補正対象書類名】明細書
【補正対象項目名】００１３
【補正方法】変更
【補正の内容】
【００１３】
請求項３記載のカーテンレールは、請求項１または２記載のカーテンレールにおいて、前記カーテンレール本体は天井から吊り下げられ、前記複数のＬＥＤの一部を前記カーテンレール本体の上面に配置した。
【手続補正１１】
【補正対象書類名】明細書
【補正対象項目名】００１４
【補正方法】変更
【補正の内容】
【００１４】
請求項４記載のカーテンレールは、請求項１または２記載のカーテンレールにおいて、前記複数のＬＥＤのうち夜間に常夜灯として点灯するＬＥＤを有し、この常夜灯として点灯するＬＥＤを前記カーテンレール本体の溝の両側にそれぞれ設けた。
【手続補正１２】
【補正対象書類名】明細書
【補正対象項目名】００１５
【補正方法】変更
【補正の内容】
【００１５】
請求項５記載のカーテンレールは、請求項１または２記載のカーテンレールにおいて、前記複数のＬＥＤのうち夜間に常夜灯として点灯するＬＥＤを有し、前記カーテンレール本体はベッドの周囲の上方に設置され、前記ベッドの枕元上方に位置する前記カーテンレール本体の溝の内側の部位と足元上方に位置する前記カーテンレール本体の溝の外側の部位に、前記常夜灯として点灯するＬＥＤを設けた。
【手続補正１３】
【補正対象書類名】明細書
【補正対象項目名】００１６
【補正方法】変更
【補正の内容】
【００１６】
請求項６記載のカーテンレールは、請求項１または２記載のカーテンレールにおいて、前記カーテンレール本体は、ベッドの周囲の上方に設置され、前記ベッドの枕元上方と足元上方の部位に前記ＬＥＤを設け、人の体動を検知したときにのみ前記枕元上方のＬＥＤを点灯させるセンサを設けた。
【手続補正１４】
【補正対象書類名】明細書
【補正対象項目名】００１７
【補正方法】変更
【補正の内容】
【００１７】
請求項７記載のカーテンレールは、請求項１，２または３記載のカーテンレールにおいて、前記ＬＥＤの一部もしくはすべてが近紫外線を照射するＬＥＤである。
【手続補正１５】
【補正対象書類名】明細書
【補正対象項目名】００１８
【補正方法】変更
【補正の内容】
【００１８】
請求項８記載のカーテンレールは、請求項３記載のカーテンレールにおいて、前記複数のＬＥＤのうち前記カーテンレール本体の上面にのみ近紫外線を照射するＬＥＤを設けた。
【手続補正１６】
【補正対象書類名】明細書
【補正対象項目名】００１９
【補正方法】変更
【補正の内容】
【００１９】
請求項９記載のカーテンレールは、カーテンを移動自在に吊持する溝を有するカーテンレール本体がベッドの周囲の上方に設置され、前記カーテンレール本体の相互に方向が異なる部分において前記カーテンレール本体の溝よりも内側でかつ下面の位置にＬＥＤを設け、前記ＬＥＤよりベッド面の所定の位置へ光を照射可能とした。
【手続補正１７】
【補正対象書類名】明細書
【補正対象項目名】００２０
【補正方法】変更
【補正の内容】
【００２０】
請求項１０記載のカーテンレールは、請求項９記載のカーテンレールにおいて、前記ＬＥＤは、ベッド面を複数の部位に分割したときに、分割した所定の部位へ光を照射可能とした。
【手続補正１８】
【補正対象書類名】明細書
【補正対象項目名】００２１
【補正方法】変更
【補正の内容】
【００２１】
請求項１１記載のカーテンレールは、請求項９または１０記載のカーテンレールにおいて、前記カーテンレール本体の溝の外側もしくはＬＥＤと溝の間に溝と平行にカーテン外部への光漏れを防止する遮光板を設けた。
【手続補正１９】
【補正対象書類名】明細書
【補正対象項目名】００２２
【補正方法】変更
【補正の内容】
【００２２】
請求項１２記載の照明装置は、カーテンを移動自在に吊持する溝を有しベッドの周囲の上方に設置されたカーテンレールと、前記カーテンレールに取り付けるための取り付け部と複数のＬＥＤを設けた照明器具とを備え、前記カーテンレールの相互に方向が異なる部分の内側において前記取り付け部に係合する被取り付け部を設け、前記取り付け部と前記被取り付け部による照明器具の取り付け状態で、前記カーテンレールに沿って前記ＬＥＤが複数配設されるとともに、前記ＬＥＤよりベッド面の所定の位置へ光を照射可能とした。
【手続補正２０】
【補正対象書類名】明細書
【補正対象項目名】００２３
【補正方法】変更
【補正の内容】
【００２３】
請求項１３記載の照明装置は、カーテンを移動自在に吊持する溝を有し溝の両側に被取り付け部を設けたカーテンレールと、前記カーテンレールの被取り付け部に係合する取り付け部と複数のＬＥＤを設けた照明器具とを備え、前記取り付け部と前記被取り付け部による照明器具の取り付け状態で、前記カーテンレールに沿って前記ＬＥＤが複数配設されるとともに、前記複数のＬＥＤのうち少なくとも一部のＬＥＤは、カーテンレールの溝の一方の側に光を放出し、他のＬＥＤは溝の他方の側に光を放出する。
【手続補正２１】
【補正対象書類名】明細書
【補正対象項目名】００２４
【補正方法】変更
【補正の内容】
【００２４】
この発明の請求項１記載のカーテンレールによれば、カーテンを移動自在に吊持する溝を有するカーテンレール本体にＬＥＤを複数設け、少なくとも一部のＬＥＤは、カーテンレール本体の溝の一方の側に光を放出し、他のＬＥＤはカーテンレール本体の溝の他方の側に光を放出するので、患者のプライベートエリア（カーテンレール内側）と共用エリア（カーテンレール外側）の明るさを確保することが可能となる。よって、全般照明として使用する際にはこれまでのようなカーテンにより遮光されて暗くなることを防止することが可能となる。また、全般照明器具を天井や壁面に設ける必要がなくなるため、非常にすっきりとした空間となり、意匠的に好ましい病室を実現することが可能となる。
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】変更
【補正の内容】
【００２６】
請求項２では、ＬＥＤは、カーテンレール本体の溝の両側の下面に設けたので、カーテンを開放している時及び閉めている時のどちらの状態であっても、カーテンレール内側とカーテンレール外側の明るさを確保することが可能となる。
【手続補正２４】
【補正対象書類名】明細書
【補正対象項目名】００２７
【補正方法】変更
【補正の内容】
【００２７】
請求項３では、カーテンレール本体は天井から吊り下げられ、複数のＬＥＤの一部をカーテンレール本体の上面に配置したので、間接照明として使用する場合、天井面からの反射光を有効に利用することが可能となる。また、光が反射する天井の部位がカーテンレールの周辺となるため、カーテンを閉じた状態であっても、カーテンレール内側とカーテンレール外側の明るさを確保することが可能となる。また、全般照明器具（間接照明タイプ）を壁面に設ける必要がなくなるため、意匠的に好ましい病室を実現することが可能となる。
【手続補正２５】
【補正対象書類名】明細書
【補正対象項目名】００２８
【補正方法】変更
【補正の内容】
【００２８】
請求項４では、複数のＬＥＤのうち夜間に常夜灯として点灯するＬＥＤを有し、この常夜灯として点灯するＬＥＤをカーテンレール本体の溝の両側にそれぞれ設けたので、患者はカーテンレールの内側に設けたＬＥＤ常夜灯により足元の履物を確認することが可能であり、その後カーテンレールの外側に設けたＬＥＤ常夜灯により、トイレに歩く際の安全を確保することが可能となる。このとき、カーテンが閉じた状態であっても遮光されることはないので、常時患者の安全を確保することが可能である。また、看護師の巡回においても、看護日誌等を書きこむ際の明かりとして活用可能であり、患者の状態を確認することが可能である。また、病室等に設置される専用の常夜灯を設ける必要がなくなるため、コスト削減につながるだけでなく、意匠的に好ましい病室を実現することが可能となる。
【手続補正２６】
【補正対象書類名】明細書
【補正対象項目名】００２９
【補正方法】変更
【補正の内容】
【００２９】
請求項５では、複数のＬＥＤのうち夜間に常夜灯として点灯するＬＥＤを有し、カーテンレール本体はベッドの周囲の上方に設置され、ベッドの枕元上方に位置するカーテンレール本体の溝の内側の部位と足元上方に位置するカーテンレール本体の溝の外側の部位に、常夜灯として点灯するＬＥＤを設けたので、患者のスリッパ履が置かれる位置（枕元上方、カーテンレール内側）とトイレへの移動時の歩行位置（足元上方、カーテンレール外側）に集中的にＬＥＤを設けることで、視認性を確保しながらもＬＥＤの数を最小限にできるため、コストを削減することが可能となる。
【手続補正２７】
【補正対象書類名】明細書
【補正対象項目名】００３０
【補正方法】変更
【補正の内容】
【００３０】
請求項６では、カーテンレール本体は、ベッドの周囲の上方に設置され、ベッドの枕元上方と足元上方の部位にＬＥＤを設け、人の体動を検知したときにのみ枕元上方のＬＥＤを点灯させるセンサを設けたので、センサにより患者の動きを検知したときだけ点灯することで、ランニングコストを削減することが可能である。また、常時点灯しないことで、患者の睡眠の質を高めることが可能となる。
【手続補正２８】
【補正対象書類名】明細書
【補正対象項目名】００３１
【補正方法】変更
【補正の内容】
【００３１】
請求項７では、ＬＥＤの一部もしくはすべてが近紫外線を照射するＬＥＤであるので、カーテンレール内の空気及びベッド面全体の殺菌・消臭を行なうことが可能となる。ところで、紫外線ＬＥＤは人体に悪影響を及ぼす波長域ではないため、特別な安全対策を行わなくても良い。
【手続補正２９】
【補正対象書類名】明細書
【補正対象項目名】００３２
【補正方法】変更
【補正の内容】
【００３２】
請求項８では、複数のＬＥＤのうちカーテンレール本体の上面にのみ近紫外線を照射するＬＥＤを設けたので、天井の反射光によりカーテンレール内の空気及びベッド面全体の殺菌・消臭を行なうことになるため、患者に悪影響を及ぼすことを確実に防止することが可能となる。
【手続補正３０】
【補正対象書類名】明細書
【補正対象項目名】００３３
【補正方法】変更
【補正の内容】
【００３３】
この発明の請求項９記載のカーテンレールによれば、カーテンを移動自在に吊持する溝を有するカーテンレール本体がベッドの周囲の上方に設置され、カーテンレール本体の相互に方向が異なる部分においてカーテンレール本体の溝よりも内側でかつ下面の位置にＬＥＤを設け、ＬＥＤよりベッド面の所定の位置へ光を照射可能としたので、カーテンを開放している時及び閉めている時のどちらの状態であっても、ベッド面上の任意の箇所（処置部位、読書部位）を照射することが可能となる。また、ＬＥＤという指向性の強い光源を用いるため、周囲への光漏れを抑えることが可能であり、深夜の消灯時間帯の読書灯や介護灯として使用する際に他の同室患者に迷惑を掛けることが軽減できる。また、病室等に設置される専用の処置灯及び読書灯を設ける必要がなくなるため、非常にすっきりとした空間となり、意匠的に好ましい病室を実現することが可能となる。
【手続補正３１】
【補正対象書類名】明細書
【補正対象項目名】００３５
【補正方法】変更
【補正の内容】
【００３５】
請求項１０では、ＬＥＤは、ベッド面を複数の部位に分割したときに、分割した、所定の部位へ光を照射可能としたので、処置灯として使用する際に複数のＬＥＤの照射する場所を変えることにより、処置部位にフレキシブルに対応することが可能である。例えば、足と手を処置しなければならない患者の場合、それぞれ異なるＬＥＤを用いて両方の箇所を照らすことが可能となる。よって、医師や看護婦の作業性が向上し、医療ミスなどの問題を軽減することが可能である。
【手続補正３２】
【補正対象書類名】明細書
【補正対象項目名】００３６
【補正方法】変更
【補正の内容】
【００３６】
請求項１１では、カーテンレール本体の溝の外側もしくはＬＥＤと溝の間に溝と平行にカーテン外部への光漏れを防止する遮光板を設けたので、ＬＥＤを点灯した際にカーテン外部の光漏れを最小限に抑制することが可能となる。よって、深夜の消灯時間帯の読書灯や介護灯として使用する際に他の同室患者に迷惑を掛けることが軽減できる。
【手続補正３３】
【補正対象書類名】明細書
【補正対象項目名】００３７
【補正方法】変更
【補正の内容】
【００３７】
この発明の請求項１２記載の照明装置によれば、カーテンを移動自在に吊持する溝を有しベッドの周囲の上方に設置されたカーテンレールと、カーテンレールに取り付けるための取り付け部と複数のＬＥＤを設けた照明器具とを備え、カーテンレールの相互に方向が異なる部分の内側において取り付け部に係合する被取り付け部を設け、取り付け部と被取り付け部による照明器具の取り付け状態で、カーテンレールに沿ってＬＥＤが複数配設されるとともに、ＬＥＤよりベッド面の所定の位置へ光を照射可能としたので、カーテンレールにＬＥＤを使用した照明器具を着脱自在に取り付けることができるとともに、カーテンを開放している時及び閉めている時のどちらの状態であっても、任意の箇所（処置部位、読書部位）を照射することが可能となる。
【手続補正３４】
【補正対象書類名】明細書
【補正対象項目名】００３８
【補正方法】変更
【補正の内容】
【００３８】
この発明の請求項１３記載の照明器具によれば、カーテンを移動自在に吊持する溝を有し溝の両側に被取り付け部を設けたカーテンレールと、カーテンレールの被取り付け部に係合する取り付け部と複数のＬＥＤを設けた照明器具とを備え、取り付け部と被取り付け部による照明器具の取り付け状態で、カーテンレールに沿ってＬＥＤが複数配設されるとともに、複数のＬＥＤのうち少なくとも一部のＬＥＤは、カーテンレールの溝の一方の側に光を放出し、他のＬＥＤは溝の他方の側に光を放出するので、カーテンレールの溝の両側にＬＥＤを使用した照明器具を着脱自在に取り付けることができるとともに、請求項１と同様の作用効果が得られる。
【手続補正３５】
【補正対象書類名】明細書
【補正対象項目名】００４９
【補正方法】変更
【補正の内容】
【００４９】
図４に示すように、カーテンレール本体１はベッド１５の周囲の上方に設置されている。そして、ベッド１５の枕元上方、すなわち、枕元側方の上部に位置するカーテンレール本体１の溝１１の内側の部位と、足元上方に位置するカーテンレール本体１の溝１１の外側の部位とに、夜間に常夜灯として点灯するＬＥＤ２ａを設けている。カーテンレール本体１は、第１の実施形態のように天井に設置する他、第２の実施形態のように吊り下げ型でもよい。
【手続補正３６】
【補正対象書類名】明細書
【補正対象項目名】００５２
【補正方法】変更
【補正の内容】
【００５２】
図５に示すように、カーテンレール本体１はベッド（図示せず）の周囲の上方に設置されている。そして、カーテンレール本体１のベッドの枕元上方と足元上方の部位にＬＥＤ２を設け、人（患者）の体動を検知したときにのみ枕元上方のＬＥＤ２を点灯させるセンサ１７を設けている。カーテンレール本体１は、天井１０に設置しているが、第２の実施形態のように吊り下げ型でもよい。
【手続補正３７】
【補正対象書類名】明細書
【補正対象項目名】００６３
【補正方法】変更
【補正の内容】
【００６３】
図８および図９に示すように、カーテンレール本体１はベッド１３の周囲の上方に設置されている。そして、カーテンレール本体１の相互に方向が異なる部分においてカーテンレール本体１の溝１１よりも内側でかつ下面の位置にＬＥＤ２を設け、ＬＥＤ２よりベッド面の所定の位置へ光を照射可能としている。つまり、カーテン１２を閉めた時にその内側のみを照射できるようにしたものである。カーテンレール本体１は、天井１０に設置しているが、第２の実施形態のように吊り下げ型でもよい。
【手続補正３８】
【補正対象書類名】明細書
【補正対象項目名】００７３
【補正方法】変更
【補正の内容】
【００７３】
図１１に示すように、第９の実施形態において、ベッド１３の枕元上方に位置するカーテンレール本体１の部位に集中してＬＥＤ２を設けたものである。これにより、ベッド面の頭部位置を集中的に照射することができる。
【手続補正３９】
【補正対象書類名】明細書
【補正対象項目名】００８４
【補正方法】変更
【補正の内容】
【００８４】
この発明の第１５の実施の形態を図１５に基づいて説明する。図１５は本発明の第１５の実施形態の照明装置の断面図である。
【手続補正４０】
【補正対象書類名】明細書
【補正対象項目名】００８５
【補正方法】変更
【補正の内容】
【００８５】
図１５に示すように、この照明装置の照明器具２０は、カーテンレール２１に取り付ける取り付け部２２と複数のＬＥＤ２とを備えている。カーテンレール２１は天井１０に設置され、その溝１１にカーテン１２が移動自在に吊持されている。また、カーテンレール２１の内側の側面に被取り付け部２３が設けてある。照明器具２０の取り付け部２２は、カーテンレール２１の被取り付け部２３に係合して着脱自在に容易に取り付けることができる。
【手続補正４１】
【補正対象書類名】明細書
【補正対象項目名】００８６
【補正方法】変更
【補正の内容】
【００８６】
上記の照明器具２０を取り付け部２２と被取り付け部２３によりカーテンレール２１に取り付けた状態で、カーテンレール２１に沿ってＬＥＤ２が複数配設されるとともに、少なくとも一部のＬＥＤ２は他のＬＥＤ２とは異なる方向に放出する。
【手続補正４２】
【補正対象書類名】明細書
【補正対象項目名】００８７
【補正方法】変更
【補正の内容】
【００８７】
本実施形態では、カーテンレール２１にＬＥＤ２を使用した照明器具２０を着脱自在に取り付けることができるとともに、第９の実施形態と同様にベッド面上の任意の箇所（処置部位、読書部位）を照射することが可能となる。なお、取り付け部２２と被取り付け部２３は、取り付け金具を用いるのが一般的であるが、磁性体と磁石、マジックテープ（登録商標）、取り外し可能な接着剤などを用いてもよい。また、カーテンレール２１は吊り下げ型でもよい。
【手続補正４３】
【補正対象書類名】明細書
【補正対象項目名】００８８
【補正方法】変更
【補正の内容】
【００８８】
この発明の第１６の実施の形態を図１６に基づいて説明する。図１６は本発明の第１６の実施形態の照明装置の断面図である。
【手続補正４４】
【補正対象書類名】明細書
【補正対象項目名】００８９
【補正方法】変更
【補正の内容】
【００８９】
図１６に示すように、第１５の実施形態において、少なくとも一部のＬＥＤ２と他のＬＥＤ２は、カーテンレール２１の溝１１の両側に光を放出する。この場合、照明器具２０は、カーテンレール２１の内側および外側に配置される。カーテンレール２１は両側面に被取り付け部２３が設けてあり、それぞれの被取り付け部２３に照明器具２０の取り付け部２２が係合して着脱自在に容易に取り付けることができる。
【手続補正４５】
【補正対象書類名】明細書
【補正対象項目名】００９０
【補正方法】変更
【補正の内容】
【００９０】
本実施形態では、カーテンレール２１の溝１１の両側にＬＥＤ２を使用した照明器具２０を着脱自在に取り付けることができるとともに、取り付け可能なＬＥＤ２を使用した照明器具２０において、第１の実施形態と同様に、カーテン１２を開放している時及び閉めている時のどちらの状態であっても、患者のプライベートエリア（カーテンレール内側）と共用エリア（カーテンレール外側）の明るさを確保することが可能となる。
【手続補正４６】
【補正対象書類名】明細書
【補正対象項目名】００９１
【補正方法】変更
【補正の内容】
【００９１】
【図１】本発明の第１の実施形態のカーテンレールの断面図である。
【図２】本発明の第２の実施形態のカーテンレールの断面図である。
【図３】本発明の第３の実施形態のカーテンレールの断面図である。
【図４】本発明の第４の実施形態のカーテンレールの概念を示す平面図である。
【図５】本発明の第５の実施形態のカーテンレールの断面図である。
【図６】本発明の第７の実施形態のカーテンレールの断面図である。
【図７】本発明の第８の実施形態のカーテンレールの断面図である。
【図８】本発明の第９の実施形態のカーテンレールの断面図である。
【図９】本発明の第９の実施形態のカーテンレールの概念を示す平面図である。
【図１０】本発明の第１０の実施形態のカーテンレールの概念を示す平面図である。
【図１１】本発明の第１１の実施形態のカーテンレールの概念を示す平面図である。
【図１２】本発明の第１２の実施形態のカーテンレールの断面図である。
【図１３】本発明の第１３の実施形態のカーテンレールの断面図である。
【図１４】本発明の第１４の実施形態のカーテンレールの断面図である。
【図１５】本発明の第１５の実施形態の照明装置の断面図である。
【図１６】本発明の第１６の実施形態の照明装置の断面図である。
【図１７】ベッド周辺のカーテンレールの配置例を示す説明図である。
【図１８】ベッド周辺のカーテンレールの配置例の別の例を示す説明図である。
【図１９】従来例の全般照明器具（直接照明タイプ）の説明図である。
【図２０】従来例の全般照明器具（間接照明タイプ）の説明図である。
【図２１】従来例の常夜灯（天井付タイプ）の説明図である。
【図２２】従来例の常夜灯（壁付タイプ）の説明図である。
【手続補正４７】
【補正対象書類名】明細書
【補正対象項目名】００９２
【補正方法】変更
【補正の内容】
【００９２】
１  カーテンレール本体
２  ＬＥＤ
２ａ  常夜灯ＬＥＤ
２ｂ  近紫外線ＬＥＤ
１１  溝
１５  ベッド
１７  センサ
１９  遮光板
２０  照明器具
２１  カーテンレール
２２  取り付け部
２３  被取り付け部
【手続補正４８】
【補正対象書類名】図面
【補正対象項目名】図１５
【補正方法】変更
【補正の内容】
【図１５】
2005177149.tif 000025
【手続補正４９】
【補正対象書類名】図面
【補正対象項目名】図１６
【補正方法】変更
【補正の内容】
【図１６】
2005177149.tif 000026